(57)【要約】      （修正有）【課題】土台的役割を担う下台の上に、中台、上台と称される略台板状の石材を順に重ね合わせ、その上に、竿石と称される直方体状の石材を立てた状態で積み重ねして成る既存の墓石と同様の構成を有すると共に、耐震、免震機能を備えた墓石を提供する。【解決手段】最下部に位置する下台４と、下台の直上に設けられた中台３と、中台の直上に設けられた上台２と、上台の直上に設けられた竿石１と、を構成部として備えた墓石であって、少なくとも２つ以上の前記構成部が固定部材５により接合されている。【選択図】図１
0003192153.tif 000002
【実用新案登録請求の範囲】
【請求項１】
最下部に位置する下台と、前記下台の直上に設けられた中台と、前記中台の直上に設けられた上台と、前記上台の直上に設けられた竿石と、を構成部として備えた墓石であって、少なくとも２つ以上の前記構成部が接合していることを特徴とする、墓石。
【考案の詳細な説明】
【技術分野】
【０００１】
本考案は、地震等の災害による破損や倒壊を防止するための、耐震、免震機能を備えた墓石に関する。
【背景技術】
【０００２】
従来、墓石は、土台的役割を担う下台の上に、中台、上台と称される略台板状の石材を順に重ね合わせ、その上に、竿石と称される縦長立方体状の石材を立てた状態で積み重ねて成るものであって、強い地震が発生した際には倒壊事故を招いてしまう危険性があった。そのため、近年では後記特許文献に記載されるような墓石が提案されている。
【０００３】
特許文献１では、各石材が積み重ねてあるものではなく、一体成型品として形成されていることを特徴とする墓石が提案されている。
【先行技術文献】
【特許文献】
【０００４】
【特許文献１】特開２００８−１０１４４２
【考案の概要】
【考案が解決しようとする課題】
【０００５】
特許文献１で提案されている墓石は、大規模な地震が発生した場合などでも容易に転倒することがなく、仮に転倒してしまった場合でも、墓石全体を倒立させるだけでよいので、施工する場合に作業を短時間で終了させることができるという効果を有する。しかしながら、複数の石材を積み重ねた既存の墓石に適用できる構成ではなく、また、一体成型品のため、移動させたり、倒立させたりするのには非常に困難を伴うものであった。
【０００６】
本考案は、上記実情を考慮したもので、土台的役割を担う下台の上に、中台、上台と称される略台板状の石材を順に重ね合わせ、その上に、竿石と称される縦長立方体状の石材を立てた状態で積み重ねて成る既存の墓石と同様の構成を有すると共に、耐震、免震機能を備えた墓石を提供することを目的とする。
【課題を解決するための手段】
【０００７】
請求項１の考案は、最下部に位置する下台と、前記下台の直上に設けられた中台と、前記中台の直上に設けられた上台と、前記上台の直上に設けられた竿石と、を構成部として備えた墓石であって、少なくとも２つ以上の墓石の構成部が接合していることを特徴とする。
【考案の効果】
【０００８】
請求項１に記載の考案によれば、複数の石材を積み重ねた既存の墓石にも適用でき、また、一体成型品ではないため、移動させたり、倒立させたりするのも比較的容易である。
【図面の簡単な説明】
【０００９】
【図１】本考案による墓石の第一実施形態を示す正面図である。
【図２】（イ）、（ロ）図は、本考案による墓石の第二実施形態を示すものであって、石材同士を固定する固定部材を装着する前と後を示す正面図である。
【図３】本考案による墓石に装着する固定部材の第一実施形態を示す斜視図である。
【図４】本考案による墓石に装着する固定部材の第二実施形態を示す斜視図である。
【図５】本考案による墓石の第三実施形態を示す正面図である。
【図６】（イ）、（ロ）図は、本考案による墓石の第四実施形態を示す正面図と背面図である。
【図７】本考案による墓石の第五実施形態を示す断面図である。
【考案を実施するための形態】
【００１０】
以下、本考案による墓石の実施の形態を図１から図７を参照して詳細に説明する。まず、本考案による墓石の第一実施形態は、図１に示すように、土台的役割を担う下台４の上に、中台３、上台２と称される略台板状の石材を順に重ね合わせ、その上に、竿石１と称される直方体状の石材を立てた状態で積み重ねして成るものである。そして各石材の素材は、通常墓石に用いられる素材、花崗岩、閃緑岩、斑レイ岩、安山岩等、どんなものであっても問題ない。
【００１１】
そして、下台４と中台３、中台３と上台２、上台２と竿石１は、それぞれ固定部材５によって固定され、一体化している。このことにより、各石材を積み重ねた既存の墓石にも適用でき、また、墓石自体が元々一体成型品ではないため、移動させたり、倒立させたりする場合には分解できるために比較的容易である。
【００１２】
本考案による墓石の第二実施形態は、図２（イ）、（ロ）に示すように、土台的役割を担う下台４の上に、中台３、上台２と称される略台板状の石材を順に重ね合わせ、その上に、竿石１と称される縦長立方体状の石材を立てた状態で積み重ねして成るものであって、固定部材５によって固定される各石材の下端部側面には、図２（イ）に示すように、それぞれ石材用カッター等を用いて凹部１ａ、２ａ、３ａが設けられている。そして、図２（ロ）に示すように、その凹部１ａ、２ａ、３ａに固定部材５が嵌りこむ形で固定される。
【００１３】
なお、この固定部材５は、図１に示すようにＬ字型であってもよいが、図３、図４に示すように、各石材の垂直面の少なくとも二辺を固定するような形状であることが望ましい。また、図３では、固定部材５は、各石材に固定するための貫通孔５ａ、５ｂを有しており、この貫通孔５ａ、５ｂに図示しないボルト等を挿通し、各石材を固定する構成であるが、図４のように、貫通孔５ａ、５ｂを有しない構成で、接着剤のようなもので固定してもよい。そして、固定部材５の素材としては、ステンレス等、どんな金属であっても問題ないし、各石材と同種の石であってもよい。また、固定される石材である、竿石１、上台２、中台３、下台４には様々な種類の石が使用されることが多いため、固定部材５が金属素材等であった場合、それぞれの石材の色に合わせて、白色、灰色、黒色等の着色を固定部材５の表面に施せば、墓石との色の調和もとれるものとなる。また、固定部材５の表面に金メッキ等を施したり、表面をカバーで覆うことにより、意匠性を高めることもできるし、例えば、図３、図４に示すように、固定部材５の表面に直接蓮の花を彫刻することもできる。
【００１４】
本考案による墓石の第三実施形態は、図５に示すように、下台４と中台３、中台３と上台２、上台２と竿石１の各接合面に防蝕性のシートライニング加工部６を備えると共に、各石材の接合面同士を接着剤によって固定され、一体化している。なお、シートライニング加工部６は、墓石の各石材同士の平滑面全体に有してもよいし、側面バンド状のシートライニング加工部６を有する構成でも問題ない。
【００１５】
本考案による墓石の第四実施形態は、図６に示すように、内部ホゾ作り加工を施されたものであって、竿石１の下端部には、上台２に嵌め込み可能な凸部を有すると共に、上台２の上部には、前記凸部を挿嵌可能な凹部を有している。そして、上台２と中台３、中台３と下台４は、ブロック７を挿嵌可能な凹部を背面にそれぞれ有し、ブロック７を挿嵌することによって、各石材同士を接合可能としている。そして、下台４の中央下部から中台３の中央下部にかけては、耐震装置８を有している。
【００１６】
本考案による墓石の第五実施形態は、図７に示すように、積み重ねられた下台４と、中台３と、上台２の中央には、垂直方向に貫通する貫通孔を連接する形で設ける共に、竿石１の底面中央には、下台４と、中台３と、上台２のそれぞれ中央に垂直に設けられた貫通孔から継合する形で上底孔を設けてある。そして、貫通孔と上底孔には、中空の揺れ止めパイプ９を挿嵌すると共に、上底孔の上端、言い換えるならば天井部と、揺れ止めパイプ９の上端部の間には、揺れ止めパイプ９の上部を塞ぐ上蓋１０を備えている。そして上蓋１０の下端には、締付ボルト１１が固着しており、その締付ボルト１１は、揺れ止めパイプ９の中空の部分を貫通し、下台４の下端に接する、貫通孔より大径のフランジ１２を介してナット１３によって締め付けられ、墓石の各石材は一体化している。なお、揺れ止めパイプ９の材質としては、ステンレス等の金属であることが望ましいが、本考案を限定するものではない。
【００１７】
本実施形態例では、墓石についての具体的な構成を説明したが、この構成は屋外構造物、記念碑、工芸品などにもそのまま適用できる。
【符号の説明】
【００１８】
１    竿石
１ａ  凹部
２    上台
２ａ  凹部
３    中台
３ａ  凹部
４    下台
５    固定部材
５ａ  貫通孔
５ｂ  貫通孔
６    シートライニング加工部
７    ブロック
８    耐震装置
９    揺れ止めパイプ
１０  上蓋
１１  締付ボルト
１２  フランジ
１３  ナット
【図１】
0003192153.tif 000003
【図２】
0003192153.tif 000004
【図３】
0003192153.tif 000005
【図４】
0003192153.tif 000006
【図５】
0003192153.tif 000007
【図６】
0003192153.tif 000008
【図７】
0003192153.tif 000009